(57)【要約】【課題】操作の邪魔にならないような位置に表示可能な情報処理表示装置を提供する。【解決手段】この情報処理表示装置は、表示画面に位置センサを備え、該画面上での入力指示器によるタッチ操作により、メニューやツールの選択操作が可能な情報処理表示装置であって、前記入力指示器の先端が前記画面に接触した時点に、該入力指示器の先端と後端の位置の位置座標を取得し、これらの位置座標に基づいて、操作に邪魔にならない位置に前記メニューやツールを表示するものである。前記２つの位置情報は、前記操作者の利き手や前記入力指示器の先端の方向を判断するために使用する。【選択図】図８
2009169735.tif 000002
【特許請求の範囲】
【請求項１】
表示画面に位置センサを備え、該画面上での入力指示器によるタッチ操作により、メニューやツールの選択操作が可能な情報処理表示装置において、前記入力指示器の先端が前記画面に接触した時点に、該入力指示器の先端と後端の位置の位置座標を取得し、これらの位置座標に基づいて、操作に邪魔にならない位置に前記メニューやツールを表示することを特徴とする情報処理表示装置。
【請求項２】
請求項１に記載の情報処理表示装置において、前記２つの位置情報に基づいて、操作者の利き手を判断して、前記利き手側に前記メニューを表示することを特徴とする情報処理表示装置。
【請求項３】
請求項１に記載の情報処理表示装置において、前記２つの位置情報に基づいて、前記入力指示器の先端の方向を判断して、前記先端の方向と反対側に前記ツールを表示することを特徴とする情報処理表示装置。
【発明の詳細な説明】
【技術分野】
【０００１】
本発明は、情報処理表示装置に関し、特にタッチ入力が可能な大型表示画面を利用して情報を表示する技術に関する。
【背景技術】
【０００２】
会議などで用いられるタッチパネルでの入力が可能な電子黒板表示システムは、ある程度の広さのある会議室での使用が想定されており、高さは人の手の届く範囲であり、幅も人の移動距離が障害にならない程度のものである。
しかし、表示装置の大型化が進んでおり、大学の講義室や国際会議場のような広い場所に大型化された表示装置が設置された場合、入力している位置と操作アイコンとが離れていると、操作のために移動する必要があり、操作性が悪くなるという問題が発生している。
【０００３】
この問題を解決するために、特許文献１の技術では、電子黒板程度の大画面を有する表示部とこれに接続された入力ペンを備える情報処理装置において、入力点の近傍に指示選択に必要な処理コマンド情報を表示するとともに、入力ペンによる軌跡の入力があったときに、この軌跡の入力に基づいて処理コマンド情報の表示位置を変更制御している。
【特許文献１】特開平８−３２０７５５号公報
【発明の開示】
【発明が解決しようとする課題】
【０００４】
特許文献１では、処理コマンド情報を入力点の近傍（所定の距離離れた位置）に表示しているが、継続して入力される軌跡の方向によっては、たとえ、表示位置を変更させたとしても邪魔になることがある。
【０００５】
本発明は、上述した実情を考慮してなされたものであって、処理コマンド情報を操作の邪魔にならないような位置に表示可能な情報処理表示装置を提供することを目的とする。
【課題を解決するための手段】
【０００６】
上述した課題を解決するために、本発明の情報処理表示装置は、以下の構成をとるものとする。
情報処理表示装置は、表示画面に位置センサを備え、該画面上での入力指示器によるタッチ操作により、メニューやツールの選択操作が可能な情報処理表示装置であって、前記入力指示器の先端が前記画面に接触した時点に、該入力指示器の先端と後端の位置の位置座標を取得し、これらの位置座標に基づいて、操作に邪魔にならない位置に前記メニューやツールを表示するものである。
【０００７】
ここで、前記２つの位置情報に基づいて判断した操作者の利き手側に前記メニューを表示したり、前記入力指示器の先端の方向と反対側に前記ツールを表示することによって、操作に邪魔にならないようにする。
【発明の効果】
【０００８】
本発明によれば、操作の邪魔にならないような位置に処理コマンド情報を表示することができるので操作性が向上する。
例えば、利き手や入力方向に応じて処理コマンド情報の表示位置を変更するので、操作の邪魔にならないようになる。
【発明を実施するための最良の形態】
【０００９】
以下、図面を参照して本発明に係る好適な実施形態について説明する。
実施形態としては、ペンを用いてタッチ入力が可能な大型表示画面を備えた情報処理表示装置を例にして説明する。この情報処理表示装置では、（Ａ）メニュー選択モード、（Ｂ）画像入力モード、（C）画像データ編集モードの３種類の状態で描画ペンツールが動作するものである。
【００１０】
（Ａ）メニュー選択モード：
描画ペンツールの動作が開始されると、メニュー選択モードとなり、メニュー・アイコンやツール・アイコンを画面の右端または左端に表示して、通常の入力待ち状態となる。
例えば、メニュー・アイコン一覧１０２は、図１（Ａ）のように画面右下や図１（Ｂ）のように画面左上に表示される。
しかし、入力の待ち時間が長い場合には、表示内容に無関係なメニュー・アイコンやツール・アイコン１０２が画面から消去される。例えば、ペン１０１で画面を２回接触（ダブルクリック）させることによって、再び、メニュー・アイコンやツール・アイコン１０２を画面に表示することができる。
【００１１】
（Ｂ）画像入力モード：
メニュー・アイコン一覧で処理コマンドを表すメニュー項目を選択した後、入力エリアを選択して画像を入力するモードである。例えば、この画像は、図２のようにペン１０１で画面をタッチし、タッチしながらペン１０１を移動させて、最後にペンアップにて書かれた線１０３が画像として書き込まれる。
【００１２】
(Ｃ)画像データ編集モード：
編集前から表示されている画像を選択して編集するモードであり、画像入力モードで事前に書いた画像等を消さずに、追記修正加工する用途に用いる。この場合、選択された画像の近傍に、選択された画像の属性に応じたツール・パレットが表示される。
【００１３】
例えば、図３において、ペン１０１で線１０３をタッチして選択すると、線１０３を含む領域１０４が描画されると共に、この線１０３を編集するためのツール・パレット１０５が領域１０４の近傍（ペン先の位置から所定の距離離れた位置）に表示される。
【００１４】
ツール・パレットは、図４に例示するように表示される。
（Ａ）選択された画像等の属性が線１０６であれば、ツール・パレット１０７は色／太さ／形状／始点終点形状／効果等からなるパレットである。
（Ｂ）選択された画像等の属性がテキスト１０８であれば、ツール・パレット１０９は色／フォント／サイズ／効果等からなるパレットである。
（Ｃ）選択された画像等の属性がグラフィック１１０であれば、ツール・パレット１１１は色／塗り／ペン種／消しゴム／トリミング／傾き等からなるパレットである。
【００１５】
本発明では、メニュー・アイコン一覧やツール・パレットの表示位置は、ペンの向きによって決定される。
操作者が右利きの場合には、図５（Ａ）のようにペン１０１の先が左方向を向いているので、メニュー・アイコン一覧１１２を画面の右端に表示する。また、左利きの場合には、図５（Ｂ）のようにペン１０１の先が右方向を向いているので、メニュー・アイコン一覧１１３を画面の左端に表示する。
【００１６】
これにより、メニュー・アイコン一覧が利き手側の位置に表示されるので、メニューを選択しやすくなり、操作性が向上する。
【００１７】
また、図６（Ａ）のようにペン１０１の先が下を向いているときには、ツール・パレット１１４をペン先位置より上部にあたる近傍に表示する。また、図６（Ｂ）のようにペン１０１の先が上を向いているときには、ツール・パレット１１５をペン先位置より下部にあたる近傍に表示する。
勿論、ペン１０１の移動方向を検出して、上記のツール・パレットをペンの移動方向とは反対の位置の近傍に表示するようにしてもよい。
【００１８】
これにより、ツール・パレットが入力方向と反対方向の位置に表示されるので、ツール・パレットに邪魔されることなく編集が行え、操作性が向上する。
【００１９】
次に、本実施形態に係る情報処理表示装置のハードウェア構成について説明する。
図７は、情報処理表示装置のハードウェア構成を表すブロック図であり、同図において、情報処理表示装置１０は、位置取得部１１、制御部１３、表示部１４、記憶部１５とからなっている。
【００２０】
以下の説明では、表示部１４と位置取得部１１とからなる表示装置と、制御部１３、記憶部１５とからなる情報処理装置とを一体型の装置で構成するものとするが、これらの装置を別々の装置で構成しても構わない。
【００２１】
まず、位置取得部１１について説明するが、本実施形態では、電磁誘導方式によってタッチ位置を取得するものとする。
表示部１４は、大型表示画面を有する液晶ディスプレイ等で構成され、制御プログラムや各種アプリケーションプログラムによって実行された結果の各種データが表示されるものであり、この表示部１４の下には、ほぼ平行に伸張したセンスコイルが水平方向および垂直方向に設置されており、水平方向をＸ軸方向、垂直方向をＹ軸方向としている。
【００２２】
入力指示器２０は、棒状の形状をした指示手段（ポインティングデバイス）であり、コイルやコンデンサ等による同調回路が先端方向とそれより後方の２箇所に内蔵されており、センスコイルへの通電により発信された電波にコイルが同調して、同調回路に誘導電圧が発生される。
したがって、表示部１４に入力指示器２０の先端を接触させると、センスコイルに通電され、入力指示器２０のコイルと共振してその同調回路に誘導電圧が発生し、センスコイルの通電が停止すると、同調回路に残存する誘導電圧によってセンスコイルと共振する。
この共振によりセンスコイルに誘導電圧が発生して、誘導電圧の大きさが検出される。
【００２３】
そして、他のセンスコイルについても同様に通電から検出までの処理が行われると、センスコイルの誘導電圧の分布がＸ軸方向とＹ軸方向ごとに求められ、これらの分布のピーク電圧の位置を求めれば入力指示器２０の２つのコイルについてのＸ，Ｙ座標値が求められる。ここで、分布のうち主ピーク電圧の位置は、入力指示器２０の先端に近いほうのコイルに該当する位置であり、２番目のピーク電圧の位置は、入力指示器２０の後端に近いほうのコイルに該当する位置である。また、座標の原点は、表示画面の左下隅であり、Ｘ軸の正方向は画面の右方向であり、Ｙ軸の正方向は画面の上方向であるとする。
【００２４】
そして、２つのコイルの座標位置と、入力指示器２０の先端からの２つのコイルまでの距離によって、入力指示器２０の先端の座標値を求める。
このようにして、位置取得部１１では、入力指示器２０を表示部１４にタッチしたときの、入力指示器２０の先端の座標値と後方部分に設けたコイルの座標値とを制御部１３へ送信する。
以下、入力指示器２０の先端の座標値を第１座標値、後方部分に設けたコイルの座標値を第２座標値と呼ぶことにする。また、これらの第１座標値と第２座標値とをまとめて位置情報とも呼ぶ。
【００２５】
制御部１３は、例えば、ＣＰＵ（中央処理ユニット）等で構成され、記憶部１５に記憶された制御プログラムや各種アプリケーションプログラムを実行することによって、当該装置１０の全体を制御する。
【００２６】
記憶部１５は、例えば、ＲＡＭ（Random Access Memory）やＲＯＭ（Read Only Memory）、ＨＤＤ（Hard Disk Drive）などで構成され、制御部１３で実行される制御プログラム、各種アプリケーションプログラムや、これらのプログラムによって使用されるデータを格納したり、これらのプログラムの実行途中で一時的に発生するデータを格納するバッファとしても使用する。例えば、本実施形態では、描画ペンツールをアプリケーションプログラムとして扱う。
【００２７】
図８は、本実施形態に係る制御部１３の制御構成を示すブロック図であり、同図において、制御部１３は、ペン先方向判別部２１、メニュー／パレット生成部２２、処理種別決定部２３、描画処理部２４、表示制御部２５を含んで構成されている。
【００２８】
位置取得部１１が位置情報を取得すると、処理種別決定部２３は、位置情報（第１座標値）とメニュー一覧やツール一覧の各アイコンの表示位置とを比較して、どのメニューやツールの項目が選択されたのかを判別して、選択されたメニューやツールの識別子を取得し、この識別子と位置情報（第１座標値と第２座標値）とを制御部１３を介して、メニュー／パレット生成部２２および描画処理部２４へ送信する。
【００２９】
また、処理種別決定部２３は、選択されたメニュー識別子が「編集」であれば、「画像データ編集モード」を記憶部１５へ記憶し、選択されたメニュー識別子が「入力」であれば、「画像入力モード」を記憶部１５へ記憶し、「画像データ編集モード」や「画像入力モード」の実行が終了したときには、「メニュー選択モード」を記憶部１５へ記憶する。
【００３０】
また、処理種別決定部２３は、メニューやツールのいずれの項目も選択されなかった場合、記憶部１５に記憶されているオブジェクトの座標情報と位置情報（第１座標値）と比較して、該当するオブジェクトの種類と位置情報（第１座標値と第２座標値）とを制御部１３を介して、メニュー／パレット生成部２２および描画処理部２４へ送信する。
【００３１】
ここで、記憶部１５には、表示画面に表示されている各オブジェクトの座標情報が記憶されている。このオブジェクトは、オブジェクトの種別（点、線、図形、画像、テキスト列等）と、それぞれの種別に応じた座標情報、太さや色等の属性が記憶される。
【００３２】
また、処理種別決定部２３は、位置情報（第１座標値）がメニューやツールやオブジェクトを選択するものではない場合、位置情報（第１座標値と第２座標値）だけを制御部１３を介して、メニュー／パレット生成部２２および描画処理部２４へ送信する。
【００３３】
メニュー／パレット生成部２２は、まず、ペン先方向判別部２１を呼び出す。
ペン先方向判別部２１は、メニュー／パレット生成部２２から渡された位置情報（第１座標値と第２座標値）により入力指示器２０の先端の向きを取得して、これらを出力する。
ここで、左向き（右利き）は、第１座標のＸ座標値が第２座標のＸ座標値より小さいときである。
一方、右向き（左利き）は、第１座標のＸ座標値が第２座標のＸ座標値より大きいときである。
また、下向きは第１座標のＹ座標値が第２座標のＹ座標値より小さいときである。
一方、上向きは、第１座標のＹ座標値が第２座標のＹ座標値より大きいときである。
【００３４】
メニュー／パレット生成部２２は、ペン先方向判別部２１から渡された入力指示器２０の先端の向きと、処理種別決定部２３から渡される情報によって、メニュー・アイコンまたはツール・パレットの表示位置を決定し、決定した表示位置と表示内容とを表示制御部２５へ渡す。
【００３５】
処理種別決定部２３からオブジェクトの種類が渡されたときには、入力指示器２０の先端が下向きの場合には、オブジェクトの種類から判断されるツール・パレットを入力指示器２０の先端位置より上部にあたる近傍に表示し（図６（Ａ））、入力指示器２０の先端が上向きの場合には、オブジェクトの種類から判断されるツール・パレットを入力指示器２０の先端位置より下部にあたる近傍に表示する（図６（Ｂ））。
【００３６】
これにより、ツール・パレットが入力方向（操作の動作方向）と反対方向の位置に表示されるので、ツール・パレットに邪魔されることなく編集が行え、操作性が向上する。
【００３７】
処理種別決定部２３から位置情報だけが渡されたとき、入力指示器２０の先端の向きが左向き（操作者が右利き）の場合には、メニュー・アイコンを画面の右端に表示し、入力指示器２０の先端の向きが右向き（操作者が左利き）の場合には、メニュー・アイコンを画面の左端に表示するように表示制御部２５へ送信する。
これにより、メニュー・アイコンが利き手側の位置に表示されるので、メニューを選択しやすくなり、操作性が向上する。
【００３８】
処理種別決定部２３からメニューの識別子が渡されたときには、表示制御部２５へ何も渡されない。
【００３９】
描画処理部２４は、本実施形態で用いる描画ペンツールを実行する処理部であり、処理種別決定部２３から渡された、メニューの識別子、ツールの識別子あるいは入力指示器２０の位置情報に応じて、描画ペンツールの機能を実行して、その結果の描画データを表示制御部２５へ渡す。
【００４０】
表示制御部２５は、描画処理部２４から渡された描画データに対して、メニュー／パレット生成部２２から渡されたメニュー・アイコンまたはツール・パレットを指定された表示位置に合成して、表示部１４へ送って表示させる。
【００４１】
次に、図９のフローチャートを用いて、本実施形態で用いる描画ペンツールの全体の処理の流れを説明する。
まず、描画ペンツールが制御部１３によって起動されると、初期設定が行われる（ステップＳ１）。この初期設定では、メニュー選択モードと設定され、描画用のパレットと描画操作の処理に必要となるメニュー・アイコンおよびツール・アイコンを表示する。
【００４２】
その後、位置取得部１１から入力指示器２０の位置情報が送られてくるまで待って、位置情報が送られてくると（ステップＳ２／ＹＥＳ）、処理種別決定部２３により、入力指示器２０の位置情報から、指定されたメニューの識別子、あるいは、指定されたオブジェクトの種別、あるいは、いずれでもないかを識別する（ステップＳ３）。
【００４３】
次に、ペン先方向判別部２１により、位置情報から入力指示器２０の先端の向きを判別する（ステップＳ４）。
メニュー／パレット生成部２２により、ペン先方向判別部２１から渡された入力指示器２０の先端の向きによって、メニュー・アイコンまたはツール・パレットの表示位置を決定し、決定した表示位置と表示内容とを表示制御部２５で表示部１４に表示する（ステップＳ５）。
【００４４】
次に、描画処理部２４により、処理種別決定部２３から渡された、メニューの識別子、ツールの識別子あるいは入力指示器２０の位置情報に応じて、描画ペンツールの機能を実行して、その結果の描画データを表示制御部２５で表示部１４に表示し（ステップＳ６）、ステップ２へ戻って、入力指示器２０の接触待ちとなる。
【００４５】
以上の構成により、利き手や入力方向に応じて、操作の邪魔にならないような位置にメニュー・アイコンやツール・パレットを表示することができるので操作性が向上する。
【００４６】
上述の実施形態では、操作者に共通なメニュー・アイコンやツール・パレットを表示していた。しかし、操作者ごとにスキル（初心者・中級者・上級者等の熟練度（レベル））が違ったり、用途によっては使用するメニューが違ったりするものである。
そのため、アプリケーションごとに、操作者のスキルや用途に合わせたメニューやパレットの表示形態を予め登録しておき、操作者を判別して操作者ごとに適合した表示形態でメニューやパレットを表示するようにしてもよい。
【００４７】
例えば、このような個人設定は、次のようにして行われる。
まず、図１０に例示したダイアログを表示し、操作者の名前や個人を認識するデータ等を記憶部に登録し、図１１に例示したダイアログを表示し、メニューやツール・パレットで表示する項目を選択して、操作者に対応させて記憶部に登録する。
【００４８】
そして、このアプリケーションの実行に際して、メニュー・アイコンやツール・パレットを表示するときに、操作者を識別して予め登録した表示形態を参照して表示させる。
例えば、操作者の識別は、個人を識別する情報をＲＦＩＤ（Radio Frequency IDentification）タグに記憶させておき、操作者の所持する入力指示器やカードに貼り付けられたＲＦＩＤタグを情報処理表示装置で識別することによって行う。
【００４９】
また、上記の表示項目を個人ごとに設定させるのではなく、熟練度（初級者、中級者、上級者等）に応じたメニューやツール・パレットの表示項目を予め記憶部に登録しておく。
そして、このアプリケーションの実行に際して、メニュー・アイコンやツール・パレットを表示するときに、操作者の熟練度を識別して予め登録した表示形態を参照して表示させる。
例えば、熟練度の識別は、熟練度を識別する情報をＲＦＩＤタグに記憶させておき、操作者の所持する入力指示器やカードに貼り付けられたＲＦＩＤタグを情報処理表示装置で識別することによって行う。
【００５０】
また、上記の表示項目を個人や熟練度ごとに設定させるのではなく、分野・用途に応じたメニューやツール・パレットを予め記憶部に登録しておく。
そして、このアプリケーションの実行に際して、メニュー・アイコンやツール・パレットを表示するときに、分野や用途を識別して予め登録した表示形態を参照して表示させる。
例えば、分野や用途の識別は、分野や用途を識別する情報をＲＦＩＤタグに記憶させておき、操作者の所持する入力指示器やカードに貼り付けられたＲＦＩＤタグを情報処理表示装置で識別することによって行う。
【００５１】
また、情報処理表示装置の設置場所で分野・用途が決まっている場合には、情報処理表示装置の設置場所を識別したり、使用に先立って設置場所を指定することにより、分野・用途を選択するものとしてもよいし、また、個人設定と連動させて登録しておき、操作者を識別して選択するものとしてもかまわない。
【００５２】
また、上記の実施形態では、入力指示器に２つの同調回路を設けて電磁誘導方式によって操作者の利き手や先端の方向を判断していたが、次のようにしても構わない。
入力指示器の先端と後端に電磁誘電方式のセンサを備え、表示画面には電磁誘電方式のアンテナを備えるようにして、これらのセンサが表示画面に近接して引き起こされた磁界の強度から、先端と表示画面との距離および後端と表示画面との距離と、先端と後端を画面上に垂直射影したそれぞれの点の座標を判断して、制御部１３に送信するようにしておく。
【００５３】
ペン先方向判別部２１では、先端と表示画面との距離および後端と表示画面との距離の小さい方の距離の端部のＸ座標値が他方の端部のＸ座標値より小さければ、左向き（右利き）と判断する。
一方、先端と表示画面との距離および後端と表示画面との距離の小さい方の距離の端部のＸ座標値が他方の端部のＸ座標値より大きければ、右向き（左利き）と判断する。
【００５４】
また、次のようにして、操作者の利き手と入力指示器２０の先端の向きを判断するようにしてもよい。
入力指示器の後端にセンサを備えて、このセンサでは、画面上に垂直射影した後端の点の座標を制御部１３に送信するようにしておく。
【００５５】
ペン先方向判別部２１では、位置取得部１１から得た入力指示器の先端の位置情報と、入力指示器の後端のセンサから得た入力指示器の後端の位置情報とを比較して、操作者の利き手と入力指示器２０の先端の向きを判断する。
【００５６】
先端のＸ座標値が後端のＸ座標値より小さければ、左向き（右利き）と判断する。一方、先端のＸ座標値が後端のＸ座標値より大きければ、右向き（左利き）と判断する。
先端のＹ座標値が後端のＹ座標値より小さければ、入力指示器は下向きと判断する。一方、先端のＹ座標値が後端のＹ座標値より大きければ、入力指示器は上向きと判断する。
【００５７】
尚、本発明は上述した実施形態に限定されず、本発明の要旨を逸脱しない範囲内で各種の変形、修正が可能であるのは勿論である。例えば、上述した実施形態を構成する情報処理表示装置の各部（角度判別部、処理種別決定部、メニュー／パレット生成部、描画処理部、表示制御分）として、コンピュータを機能させるプログラムを作成し、予め記録媒体に書き込んでおき、この記録媒体に記録されたこれらのプログラムを当該装置に備えられたメモリあるいは記憶装置に格納し、そのプログラムを実行することによって、本発明の目的が達成されることは言うまでもない。
【００５８】
この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００５９】
尚、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
【００６０】
このように、上述した実施形態の機能をプログラム化して流通させることによって、コストの低廉化、および可搬性や汎用性を向上させることができる。
【図面の簡単な説明】
【００６１】
【図１】メニュー選択モードのときの表示画面例である。
【図２】画像入力モードのときの表示画面例である。
【図３】画像データ編集モードのときの表示画面例である。
【図４】データ属性によるパレット表示の違いを説明する図である。
【図５】利き手の違いによるメニューの表示例である。
【図６】ペンの上下向きによるツール・パレットの表示位置の違いを説明する図である。
【図７】情報処理表示装置のハードウェア構成を表すブロック図である。
【図８】実施形態に係る制御部の制御構成を示すブロック図である。
【図９】本実施形態で用いる描画ペンツールの全体の処理の流れを説明するフローチャートである。
【図１０】操作者を登録するためのダイアログ例である。
【図１１】メニューやツール・パレットの表示項目を登録するためのダイアログ例である。
【符号の説明】
【００６２】
１０…情報処理表示装置、１１…位置取得部、１３…制御部、１４…表示部、１５…記憶部、２０…入力指示器、２１…ペン先方向判別部、２２…メニュー／パレット生成部、２３…処理種別決定部、２４…描画処理部、２５…表示制御部、１０１…ペン（入力指示器）、１０２，１１２，１１３…メニュー・アイコン一覧、１０３，１０６…線、１０４…領域、１０５，１０７，１０９，１１１，１１４，１１５…ツール・パレット、１０８…テキスト、１１０…グラフィック。
【図１】
2009169735.tif 000003
【図２】
2009169735.tif 000004
【図３】
2009169735.tif 000005
【図４】
2009169735.tif 000006
【図５】
2009169735.tif 000007
【図６】
2009169735.tif 000008
【図７】
2009169735.tif 000009
【図８】
2009169735.tif 000010
【図９】
2009169735.tif 000011
【図１０】
2009169735.tif 000012
【図１１】
2009169735.tif 000013